(57)【特許請求の範囲】
【請求項１】
ピストンを内部に有する本体と、
前記本体から外部に向かって突出した筒状のフレームと、
前記ピストンに取り付けられ、前記フレームの内部を移動可能に構成されたロッド部材と、
前記フレームを覆うように取り付けられたカバーとを備え、
前記カバーは、硬質プラスチック製の透明の部材であって、前記フレームの基部にねじにより取り付けられており、
前記フレームの基部の外周面に第１ねじ部が形成されており、前記カバーの内周面に前記第１ねじ部に取り付けられる第２ねじ部が形成されており、
前記フレームの基部と前記カバーとの間には、シール部材が配置されており、
前記シール部材は、前記第１ねじ部より前記本体側に配置され、
前記カバーにおける前記第２ねじ部が形成されている部分は、前記カバーにおける前記第２ねじ部が形成されている部分に対して前記本体とは反対側の部分に比べて、外径が大きいことを特徴とする分配弁。
【発明の詳細な説明】
【技術分野】
【０００１】
本発明は、例えば装置等に油を供給する分配弁に関する。
【背景技術】
【０００２】
分配弁は、本体内部に配置されたピストンを有し、そのピストンにはロッド部材が取り付けられたものがある。ロッド部材の先端は、ピストンの移動にともなって、本体から外部に向かって突出した筒状のフレーム内部を移動可能に構成される。したがって、フレーム内部でのロッド部材の先端の位置に基づいて、本体内部のピストンの位置を検知することが可能である。
【先行技術文献】
【特許文献】
【０００３】
【特許文献１】実開平３−６１９７
【発明の概要】
【発明が解決しようとする課題】
【０００４】
従来の分配弁において、フレームには、防塵・防滴カバーとして軟質ビニール製キャップが取り付けられている。ここで、従来の分配弁では、フレームの基部の外径がキャップの端部の内径より僅かに大きく構成され、キャップの端部がフレームの基部の外周部に対し嵌るように取り付けられる。したがって、従来の分配弁では、経年変化によりキャップが硬化しシール性が悪化して水分が浸入し内部が錆びたり、変色によりフレーム内部が見えなくなる問題がある。
【０００５】
そこで、本発明の目的は、フレームのキャップが経年変化によりシール性が悪化したり、変色によりフレーム内部が見えなくなるのを防止できる分配弁を提供することである。
【課題を解決するための手段】
【０００６】
第１の発明にかかる分配弁は、ピストンを内部に有する本体と、前記本体から外部に向かって突出した筒状のフレームと、前記ピストンに取り付けられ、前記フレームの内部を移動可能に構成されたロッド部材と、前記フレームを覆うように取り付けられたカバーとを備え、前記カバーは、硬質プラスチック製の透明の部材であって、前記フレームの基部にねじにより取り付けらており、前記フレームの基部の外周面に第１ねじ部が形成されており、前記カバーの内周面に前記第１ねじ部に取り付けられる第２ねじ部が形成されており、前記フレームの基部と前記カバーとの間には、シール部材が配置されており、前記シール部材は、前記第１ねじ部より前記本体側に配置され、前記カバーにおける前記第２ねじ部が形成されている部分は、前記カバーにおける前記第２ねじ部が形成されている部分に対して前記本体とは反対側の部分に比べて、外径が大きいことを特徴とする。                                                                            
【０００７】
この分配弁では、カバーが硬質プラスチック製の透明の部材であって、フレームの基部にねじにより取り付けられることから、カバーとフレームとの間のシール性が向上する。したがって、経年変化によりシール性が悪化したり、変色によりフレーム内部が見えなくなるのを防止できる。
また、この分配弁では、カバーとフレームとの間にシール部材が配置されることから、カバーとフレームの基部との間がねじ部およびシール部材でシールされ、カバーとフレームとの間のシール性を向上させることができる。
さらに、この分配弁では、シール部材がフレームの基部のねじ部より本体側に配置されることから、フレームの基部のねじ部に塵または水が入るのを防止できる。
【発明の効果】
【００１２】
以上の説明に述べたように、本発明によれば、以下の効果が得られる。
【００１３】
第１の発明では、カバーが硬質プラスチック製の透明の部材であって、フレームの基部にねじにより取り付けられることから、カバーとフレームとの間のシール性が向上する。したがって、経年変化によりシール性が悪化したり、変色によりフレーム内部が見えなくなるのを防止できる。
【００１４】
第２の発明では、カバーとフレームとの間にシール部材が配置されることから、カバーとフレームの基部との間がねじ部およびシール部材でシールされ、カバーとフレームとの間のシール性を向上させることができる。
【００１５】
第３の発明では、シール部材がフレームの基部のねじ部より本体側に配置されることから、フレームの基部のねじ部に塵または水が入るのを防止できる。
【図面の簡単な説明】
【００１６】
【図１】本発明の実施形態に係る分配弁の断面図である。
【図２】カバーの側面図である。
【図３】図３（ａ）は、フレームの側面図であって、図３（ｂ）は、図３（ａ）の部分拡大図である。
【発明を実施するための形態】
【００１７】
以下、この発明を図示の実施の形態により詳細に説明する。
【００１８】
分配弁１の本体２は、図１に示すように、互いに平行に配置された２つのシリンダ室３ａ、３ｂを有している。シリンダ室３ａには、メインピストン４が配置され、シリンダ室３ｂには、パイロットピストン５が配置される。メインピストン４の上端には、ロッド部材６が取り付けられている。ロッド部材６は、本体２から外部に向かって突出した筒状のフレーム７の内部を移動可能に構成される。フレーム７には、対向した２つの開口７ａが形成され、フレーム７の周囲には、カバー８が取り付けられている。
【００１９】
カバー８は、図２に示すように、硬質プラスチック製の透明の部材（ポリカーボネート等の部材）であって、フレーム７を覆うように取り付けられる。カバー８の下端は開口され、上端は塞がれている。カバー８の下端には、径が大きい取付け部８ａが形成され、その内周面には、ねじ部８ｃが形成される。フレーム７の基部７ｂの外周面には、ねじ部７ｃが形成される。したがって、カバー８の取付け部８ａのねじ部８ｃは、フレーム７の基部７ｂのねじ部７ｃに対し取り付けられる。カバー８の取付け部８ａの外周面には、凹凸が形成され、カバー８をフレーム７にねじにより取り付ける際に滑りにくい構成となっている。本実施形態の分配弁では、カバー８が、フレーム７の基部７ｂにねじにより取り付けられることから、長さの異なるフレームを有する複数の分配弁がある場合において、最も長いフレームに取り付け可能なカバーを、そのフレームより短い長さのフレームに対し取付け可能である。したがって、カバーを、長さの異なる複数の分配弁に対し共用できる。
【００２０】
フレーム７の基部７ｂとカバー８との間には、図３に示すように、環状のシール部材１２が配置される。シール部材１２は、フレーム７の基部７ｂのねじ部７ｃより本体２側に配置される。図３では、カバー８が、二点鎖線で図示されている。シール部材１２は、カバー８がフレーム７に対しねじで取り付けられると、カバー８の取付け部８ａとフレーム７の基部７ａとの間をシールする。
【００２１】
＜本実施形態の分配弁の特徴＞
本実施形態の分配弁では、カバー８が硬質プラスチック製の透明の部材であって、フレーム７の基部７ｂにねじにより取り付けられることから、カバー８とフレーム７との間のシール性が向上する。したがって、経年変化によりシール性が悪化したり、変色によりフレーム内部が見えなくなるのを防止できる。
【００２２】
本実施形態の分配弁では、カバー８とフレーム７との間にシール部材１２が配置されることから、カバー８とフレーム７の基部７ｂとの間がねじ部およびシール部材でシールされ、カバー８とフレーム７との間のシール性を向上させることができる。
【００２３】
本実施形態の分配弁では、シール部材１２がフレーム７の基部７ｂのねじ部より本体２側に配置されることから、フレーム７の基部７ｂのねじ部に塵または水が入るのを防止できる。
【００２４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【産業上の利用可能性】
【００２７】
本発明を利用すれば、経年変化によりシール性が悪化したり、変色によりフレーム内部が見えなくなるのを防止できる。
【符号の説明】
【００２８】
１  分配弁
２  本体
４  メインピストン（ピストン）
６  ロッド部材
７  フレーム
７ｂ  フレームの基部
８  カバー
１２  シール部材
【図１】
0006445994.tif 000002
【図２】
0006445994.tif 000003
【図３】
0006445994.tif 000004